(57)【要約】      （修正有）【課題】  柱と梁との取り付け強度が高い建築構造体を安価に提供する。【解決手段】  建築構造体１は、柱３と、柱３の内部に配置した補強材３５と、柱３に端面を当接する梁５と、柱３と梁５を繋ぐブラケット７とを備えている。補強材３５の各垂直壁は対面する柱３の垂直壁３ａに各々当接し、且つ高力ボルト４１の頭部又はナット４３の係止部３７を有しており、ブラケット７は垂直壁１９と上壁１５と上壁１５に平行な下壁１７とからなるブラケット本体２１と、上壁１５と下壁１７と垂直壁１９に各々固定してブラケット本体２１の左右端面に各々設けた補強側板２３とを有し、柱３の垂直壁のうちの少なくとも一つの垂直壁３ａとこれに当接する補強材３５の垂直壁とブラケット７の垂直壁１９とを高力ボルト４１とナット４３で固定してあり、ブラケット７の上壁１５と梁５の上壁２９とを高力ボルト４５とナット４７で固定してある。【選択図】      図１
2006312836.tif 000002
【特許請求の範囲】
【請求項１】
柱と、柱の内部に配置した補強材と、柱に端面を当接する梁と、柱と梁を繋ぐブラケットとを備え、補強材は、各垂直壁が対面する柱の垂直壁に各々当接し、且つ各垂直壁に高力ボルトの頭部又はナットの係止部を有しており、ブラケットは垂直壁と上壁と上壁に平行な下壁とからなるブラケット本体と、上壁と下壁と垂直壁に各々固定してブラケット本体の左右端面に各々設けた補強側板とを有し、柱の垂直壁のうちの少なくとも一つの垂直壁とこれに当接する補強材の垂直壁とブラケットの垂直壁とを高力ボルトとナットで固定してあり、ブラケットの上壁と梁の上壁とを高力ボルトとナットで固定してあることを特徴とする建築構造体。
【請求項２】
柱と、柱の垂直壁に対して上下方向又は左右方向に傾斜し且つ柱に端面を当接する梁と、柱と梁を繋ぐブラケットとを備え、ブラケットは垂直壁と垂直壁から梁の傾斜方向と平行に突出する上壁と上壁に平行な下壁とからなるブラケット本体と、上壁と下壁と垂直壁に各々固定してブラケット本体の左右端面に各々設けた補強側板とを有し、ブラケットの上壁と梁の上壁とを高力ボルトとナットで固定してあり、ブラケットの下壁と梁の下壁とを高力ボルトとナットで固定してあり、ブラケットの垂直壁と柱の垂直壁とを高力ボルトとナットで固定してあることを特徴とする建築構造体。
【請求項３】
梁は上下左右壁を有し、上壁が下壁よりも長く、ブラケットは上壁が下壁よりも短く、ブラケットの上壁の先端は梁の下壁の先端よりも柱側に位置し、梁の上壁の下面にブラケットの上壁が当接し、梁の下壁の下面にブラケットの下壁が当接しており、ブラケットの上壁の下面及び梁の下壁の上面に、高力ボルトの頭部又はナットを予め固定してあることを特徴とする請求項１又は２に記載の建築構造体。
【請求項４】
梁は上下左右壁を有し、下壁が上壁よりも長く、ブラケットは下壁が上壁よりも短く、ブラケットの下壁の先端は梁の上壁の先端よりも柱側に位置し、梁の上壁の上面にブラケットの上壁が当接し、梁の下壁の上面にブラケットの下壁が当接しており、ブラケットの下壁の上面及び梁の上壁の下面に、高力ボルトの頭部又はナットを予め固定してあることを特徴とする請求項１又は２に記載の建築構造体。
【発明の詳細な説明】
【技術分野】
【０００１】
本発明は、柱に梁を固定した建築構造体に関する。
【背景技術】
【０００２】
特許文献１には、垂直壁と上壁と上壁に平行な下壁とからなるブラケットの垂直壁を柱にボルトとナットで固定し、上壁と下壁に梁をボルトとナットで固定する技術が開示されている。
特許文献２には、柱の内部に補強材を設け、補強材の前後左右壁を柱の内壁に各々当接して、梁に固定するブラケットを柱内部の補強材に形成した雌ねじに螺合するボルトで固定する技術が開示されている。
【０００３】
【特許文献１】特開２００３−３０１５１２号公報
【特許文献２】特開平３−７６９４８号公報
【発明の開示】
【発明が解決しようとする課題】
【０００４】
しかし、特許文献１の技術のように断面略コ字形状のブラケットを用いた構造では、ブラケットに対して大きな負荷がかかる大型の柱と梁を有する建築構造物には強度的に不向きであった。
また、特許文献２の技術のように柱の内部に設けた補強材の雌ねじにボルトを螺合する構造においても、ブラケットに対して大きな負荷がかかる大型の柱と梁を有する建築構造物には、強度的に不向きである。
一方、柱の垂直壁に対して梁を上下に傾斜したり、左右に傾斜して取り付ける要求があり、かかる要求に対しても柱に対して梁を安定に取り付けできることが望まれている。
【０００５】
そこで、本発明は、柱と梁との取り付け強度が高い建築構造体を安価に提供することを目的とする。
【課題を解決するための手段】
【０００６】
請求項１に記載の発明は、柱と、柱の内部に配置した補強材と、柱に端面を当接する梁と、柱と梁を繋ぐブラケットとを備え、補強材は、各垂直壁が対面する柱の垂直壁に各々当接し、且つ各垂直壁に高力ボルトの頭部又はナットの係止部を有しており、ブラケットは垂直壁と上壁と上壁に平行な下壁とからなるブラケット本体と、上壁と下壁と垂直壁に各々固定してブラケット本体の左右端面に各々設けた補強側板とを有し、柱の垂直壁のうちの少なくとも一つの垂直壁とこれに当接する補強材の垂直壁とブラケットの垂直壁とを高力ボルトとナットで固定してあり、ブラケットの上壁と梁の上壁とを高力ボルトとナットで固定してあることを特徴とする。
【０００７】
請求項２に記載の発明は、柱と、柱の垂直壁に対して上下方向又は左右方向に傾斜し且つ柱に端面を当接する梁と、柱と梁を繋ぐブラケットとを備え、ブラケットは垂直壁と垂直壁から梁の傾斜方向と平行に突出する上壁と上壁に平行な下壁とからなるブラケット本体と、上壁と下壁と垂直壁に各々固定してブラケット本体の左右端面に各々設けた補強側板とを有し、ブラケットの上壁と梁の上壁とを高力ボルトとナットで固定してあり、ブラケットの下壁と梁の下壁とを高力ボルトとナットで固定してあり、ブラケットの垂直壁と柱の垂直壁とを高力ボルトとナットで固定してあることを特徴とする。
【０００８】
請求項３に記載の発明は、請求項１又は２に記載の発明において、梁は上下左右壁を有し、上壁が下壁よりも長く、ブラケットは上壁が下壁よりも短く、ブラケットの上壁の先端は梁の下壁の先端よりも柱側に位置し、梁の上壁の下面にブラケットの上壁が当接し、梁の下壁の下面にブラケットの下壁が当接しており、ブラケットの上壁の下面及び梁の下壁の上面に、高力ボルトの頭部又はナットを予め固定してあることを特徴とする。
【０００９】
請求項４に記載の発明は、請求項１又は２に記載の発明において、梁は上下左右壁を有し、下壁が上壁よりも長く、ブラケットは下壁が上壁よりも短く、ブラケットの下壁の先端は梁の上壁の先端よりも柱側に位置し、梁の上壁の上面にブラケットの上壁が当接し、梁の下壁の上面にブラケットの下壁が当接しており、ブラケットの下壁の上面及び梁の上壁の下面に、高力ボルトの頭部又はナットを予め固定してあることを特徴とする。
【発明の効果】
【００１０】
請求項１に記載の発明によれば、ブラケットの垂直壁と上壁と下壁とには補強側板を固定して、荷重に対するブラケットの強度を高めているので、柱と梁との取り付け強度を高めることができる。
しかも、ブラケットはブラケット本体の左右端面に補強側板を取り付けるだけであるから、安価に作ることができる。
柱の内部には補強材を設け、ブラケットは柱と補強材に高力ボルトとナットで固定するので、柱と梁との取り付け強度を更に高めることができる。
補強材は、各垂直壁が対面する柱の垂直壁に各々当接しているので、柱の何れの面にも梁を強固に取り付けることができる。
補強材に高力ボルトの頭又はナットの係止部を設けているので、ブラケットを固定した後の高力ボルト又はナットのまわりを防止しでき、緩みが生じ難い。
【００１１】
請求項２に記載の発明によれば、ブラケットの垂直壁と上壁と下壁とには補強側板を固定して、荷重に対するブラケットの強度を高めているので、柱と梁との取り付け強度を高めることができる。
しかも、ブラケットはブラケット本体の左右端面に補強側板を取り付けるだけであるから、安価である。
ブラケットの上壁及び下壁は、柱の垂直壁に対して左右方向及び上下方向のいずれかの方向に傾斜する梁と平行に傾斜しているので、梁を柱の垂直壁に対して傾斜して取り付ける場合にも安定して取り付けできる。
【００１２】
請求項３に記載の発明によれば、請求項１又は２に記載の発明と同様な効果を奏するとともに、梁は上壁が下壁よりも長く、ブラケットは上壁が下壁よりも短く、且つブラケットの上壁の先端は梁の下壁の先端よりも柱側に位置しているので、例えば、クレーンで吊り上げた梁を、ブラケットの上方から降ろすようにして、梁の上壁の下面にブラケットの上壁を当接し、梁の下壁の下面にブラケットの下壁を当接することができ、梁の内側にブラケットを挿入する操作が必要ないので施工性が良い。しかも、梁をブラケットに載置した状態で梁とブラケットとの固定作業ができ、作業がしやすい。
また、上壁と下壁を有する梁をブラケットに固定する場合において、ブラケット及び梁の所定箇所には、高力ボルトの頭部又はナットを予め固定してあるので、ブラケットに梁を固定する際には梁の外側から高力ボルト又はナットを締め付けるだけで済み、施工性が良い。
【００１３】
請求項４に記載の発明によれば、請求項１又は２に記載の発明と同様な効果を奏するとともに、梁は下壁が上壁よりも長く、ブラケットは下壁が上壁よりも短く、且つブラケットの下壁の先端は梁の上壁の先端よりも柱側に位置しているので、例えば、クレーンで吊り下げた梁を、梁の端面がブラケットの真下にくるように位置を調節した後、ブラケットの真下から上げて、梁の上壁の上面にブラケットの上壁を当接し、梁の下壁の上面にブラケットの下壁を当接することができ、梁の内側にブラケットを挿入する操作が必要ないので施工性が良い。
また、上壁と下壁とを有する梁をブラケットに固定する場合において、ブラケット及び梁の所定箇所には、高力ボルトの頭部又はナットを予め固定してあるので、ブラケットに梁を固定する際には梁の外側から高力ボルト又はナットを締め付けるだけで済み、施工性が良い。
【発明を実施するための最良の形態】
【００１４】
以下に、添付図面を参照して本発明の実施の形態を説明する。まず、図１〜図３を参照して本発明の第１実施の形態を説明する。図１は第１実施の形態にかかる建築構造体の図であり、（ａ）は柱のキャップを除いて示す斜視図であり、（ｂ）は柱のキャップを取り付けた状態において（ａ）のＡ―Ａ位置で切断した断面図であり、図２は図１（ａ）のＢ―Ｂ断面図であり、図３は図１（ａ）のＣ―Ｃ断面図である。
本発明の第１実施の形態にかかる建築構造体１は、カーポートに用いられているものであり、柱３と、柱３に端面を当接する梁５と、柱３と梁５を繋ぐブラケット７とを備えている。
柱３は、横断面略矩形の角筒であり、矩形の四隅にはそれぞれ上下方向にネジ孔１１が形成されている。柱３の下端面はベースプレート９の上面に当接してあり、ベースプレート９の下面側から各ネジ孔１１に螺合した高力ボルト１３でベースプレート９に固定されている。柱の上端面にはキャップ１４がねじ固定されている。
柱３の内部には補強材３５が設けてある。補強材３５は押出形材であり、前壁３６ａ、後壁３６ｂ、左壁３６ｃ、右壁３６ｄの四方壁が外方に突設しており、横断面略十字形状を成しており、補強材３５の前後左右壁（各垂直壁）３６ａ〜３６ｄは柱３の各垂直壁の内面３ｂに各々当接している。また、補強材３５の各前後左右壁３６ａ〜３６ｄには、高力ボルト４１を止めるナット４３の係止部３７が設けてある。
ブラケット７はブラケット本体２１と補強側板２３とから構成されており、ブラケット本体２１は上壁１５と下壁１７と垂直壁１９とから成り、下壁１７は上壁に対して平行を成しており、ブラケット本体２１は全体として断面略コ字形状を成している。
ブラケット本体２１には上壁１５と下壁１７と垂直壁１９とのそれぞれには水平方向のネジ孔２５が形成されている。
ブラケット本体２１の垂直壁１９から突設する上壁１５と下壁１７の水平方向の長さは上壁１５が下壁１７よりも短くなっており、ブラケット本体２１の上壁１５の先端は梁５の下壁３１（後述する）の先端よりも柱３側に位置している。
補強側板２３は、ブラケット本体２１の左右端面の各々に設けてあり、各補強側板２３はネジ２７でブラケット本体２１のネジ孔２５に固定されている。
梁５は、上壁２９、下壁３１、左右壁３３とから構成された断面略矩形であり、上壁２９が下壁３１よりも長い。また、梁の上壁２９と下壁３１との長さの差はブラケット７の上壁１５と下壁１７の寸法差と略同じ寸法になっている。
ブラケット本体２１は、垂直壁１９を柱３の垂直壁３ａに高力ボルト４１とナット４３で固定してあり、本実施の形態ではブラケット本体２１は上下２箇所の高力ボルト４１とナット４３で固定してある。
ブラケット７の上壁１５の上面には、梁５の上壁２９が当接しており、ブラケット７の下壁１７の上面には梁５の下壁３１が当接している。
ブラケット７の上壁１５と梁７の上壁２９とは高力ボルト４５とナット４７で固定してある。ナット４７は予めブラケット７の上壁１５の下面に固定してあり、高力ボルト４５は梁５の外側上方向から下方に向けて螺合してある。
ブラケット７の下壁１７と梁５の下壁３１とは高力ボルト４９とナット５１で固定してある。ナット５１は梁５の下壁３１の上面に予め固定してあり、高力ボルト４９は梁５の外側下方向から上方に向けて螺合してある。
【００１５】
次に、本実施の形態にかかる建築構造体１の施工及び作用効果について説明する。
建築構造体１の施工は、ベースプレート９の上面に柱３の下端面を当接して、ベースプレート９の下面側から高力ボルト１３で柱のネジ孔１１に螺合して、ベースプレート９に柱３を固定する。高力ボルト１３は柱３の軸方向に螺合して取り付けているから、柱３とベースプレート９を剛接合できる。
そして、ベースプレート９をアンカーでベースに固定した後、柱３に梁５を固定する。本実施の形態では、柱には前側と左右の三方に各梁５が固定してあるが、固定方法は各々同様であるから、前側の梁５の取り付けについてのみ説明する。
柱３と梁５の固定は、まず、ブラケット７を柱３に固定するが、柱３の内部に補強材３５を挿入して、ブラケット７の取付位置に保持して、係止部３７にナット４３を係止して、柱３の垂直壁３ａに座板５２を介してブラケット本体２１の垂直壁１９に高力ボルト４１を挿通して、係止部３７にあるナット４３に螺合する。そして、補強側板２３をブラケット本体２１の両端面にネジ２７で固定する。補強側板２３はネジ２７の締め付けによりブラケット本体２１に容易に取り付けることができる。
次に、ブラケット７の上壁１５と下壁１７とに梁５の端を載せるが、梁５は上壁２９が下壁３１よりも長くしてあり且つブラケット７の上壁１５を下壁１７よりも短くしているので、例えば、クレーン等で梁５を引き上げた後、梁５を降ろしながら梁５を上方からブラケット７へ降ろすようにして、ブラケット７に梁５を載置すると共に梁の上壁１５をブラケットの上壁１５上面に当接し、同時に梁５の下壁１７をブラケット７の下壁１７の上面に当接する。梁５はブラケット７の上方から下に降ろすようにしてブラケット７に載置することができるので、ブラケット７の上に梁５の端面がくるように位置を合わせするだけで済み、梁の内側にブラケットを挿入する操作が必要ないので施工が容易である。
ブラケット７と梁５との固定は、予めブラケット７の上壁１５に固定してあるナット４７に梁５の外側から高力ボルト４５を締め付けて固定し、予め梁５の下壁３１に固定してあるナット５１に梁５の外側から高力ボルト４９を締め付けて固定する。
しかも、梁５をブラケット７に載置した状態で梁５とブラケット７との固定作業ができ、作業性が良い。
ブラケット７と梁５の固定は、ブラケット７の上壁１５の下面にナット４７及び梁５の下壁３１の上面にナット５１を予め固定してあるので、ブラケット７に梁５を固定する際には梁５の外側から高力ボルト４５、４９を締め付けるだけで済み、固定作業が簡単である。
本実施の形態によれば、梁５の荷重を受けるブラケット７には、上壁１５と下壁１７と垂直壁１９とに補強側板２３を取り付けてブラケットの強度を高めているので、柱３と梁５との取り付け強度を高めることができる。しかも、ブラケット７は断面略コ字形状のブラケット本体２１に補強側板２３を取り付けるだけであるから、安価に作ることができる。
また、柱３と梁５との固定に溶接を伴なわずに、高力ボルトとナットによる締め付けだけで固定するので、施工が容易である。
柱３の内部には補強材３５を設け、且つブラケット７は柱３と補強材３５に高力ボルト４１とナット４３で固定するので、柱３と梁５との取り付け強度を更に高めることができる。
補強材３５の前後左右壁（垂直壁）３６ａ〜３６ｄは各々が対面する柱３の垂直壁の内面３ｂに各々当接してあるので、柱の何れの面にも梁を強固に取り付けることができる。
補強材３５にナット４３の係止部３７を設けているので、ブラケット７を柱３に固定した後のナット４３のまわりを防止しでき、緩みが生じ難い。
【００１６】
次に、図４を参照して、本発明の第２実施の形態を説明する。尚、以下に説明する実施の形態では、上述した実施の形態と同一の作用効果を奏する部分には同一の符号を付することにより、その部分の詳細な説明を省略し、第１実施の形態と異なる点を主に説明する。図４は第２実施の形態にかかる建築構造体１を図１（ｂ）と同じ位置で切断して示す断面図である。
第２実施の形態では、ブラケット７の上壁１５が下壁１７よりも長くしてあり、梁５の下壁３１を上壁２９よりも長くしてあり、且つブラケット７の下壁１７の先端は梁５の上壁２９の先端よりも柱３側に位置している。換言すれば、ブラケット７及び梁５をそれぞれ第１実施の形態において上下逆さにして取り付けたものである。
そして、施工時には梁５をブラケット７の下方から上方に上げて、ブラケット７の上壁１５の下面に梁の上壁２９を当接して高力ボルト４５とナット４７で固定してあり、ブラケット７の下壁１７の下面に梁の下壁３１を当接して高力ボルト４９とナット５１で固定したものである。
この第２実施の形態によれば、上述した第１実施の形態と同様に、柱３と梁５との取り付け強度が高く且つ安価であるとともに、例えば、クレーンで吊り下げた梁５をブラケット７の下方から上げて、梁５の上壁２９の上面にブラケット７の上壁１５を当接し、梁５の下壁３１の上面にブラケット７の下壁１７を当接して配置でき、梁の内側にブラケットを挿入する操作が必要ないので施工性が良い。
【００１７】
図５を参照して本発明の第３実施の形態について説明する。図５は第３実施の形態にかかる建築構造体の図であり、（ａ）は柱のキャップを外して示す平面図であり、（ｂ）は柱にキャップを取り付けた状態で（ａ）のＥ―Ｅ位置で切断した断面図である。
この第３実施の形態かかる建築構造体１は、柱３の垂直壁３ａに対して梁５を上方に傾斜して取り付けているものであり、ブラケット本体２１の上壁１５と下壁１７とを垂直壁１９から、梁５の傾斜方向と平行に傾斜角度Ｓで傾斜して設けた点が、第１実施の形態と異なる。傾斜角度Ｓは任意の角度であり、必要に応じて適宜設定するものである。ブラケット本体２１は、上壁１５と下壁１７とを垂直壁１９に対して任意の角度Ｓを形成するように曲げ加工して作られている。
この第３実施の形態によれば、第１実施の形態と同様な効果を得ることができると共に、ブラケット本体Ｓの上壁１５及び下壁１７は垂直壁１９から、柱３の垂直壁３ａに対する梁５の傾斜方向と平行に傾斜しているので、梁５を柱３の垂直壁３ａに対して傾斜して取り付ける場合にも安定して取り付けできる。
【００１８】
図６を参照して本発明の第４実施の形態について説明する。図６は第４実施の形態にかかる建築構造体の図であり、（ａ）は柱のキャップを外して示す平面図であり、（ｂ）は柱にキャップを取り付けた状態で（ａ）のＦ―Ｆ位置で切断した断面図である。
この第４実施の形態かかる建築構造体１は、柱３の垂直壁３ａに対して梁５を左側に傾斜して取り付けており、ブラケット本体２１の上壁１５と下壁１７とを梁５の傾斜方向に平行になるように、垂直壁１９から左側に向けて水平方向の傾斜角度Ｔで傾斜して設けた点が、第１実施の形態と異なる。傾斜角度Ｔは任意の角度であり、必要に応じて適宜設定するものである。ブラケット本体２１は、上壁１５と下壁１７とを垂直壁１９に対して水平方向における任意の角度Ｔを形成するように曲げ加工して作られている。
この第４実施の形態によれば、第１実施の形態と同様な効果を得ることができると共に、ブラケット本体Ｔの上壁１５及び下壁１７は垂直壁１９から水平方向の左側に向けて傾斜しているので、梁５を柱３の垂直壁３ａに対して傾斜して取り付ける場合にも安定して取り付けできる。
【００１９】
本発明は、上述した実施の形態に限らず、本発明の要旨を逸脱しない範囲で種々変形可能である。
例えば、柱３の垂直壁３ａとブラケット７の垂直壁１９との間に座板５１を設けなくてもよい。
柱３は四角筒に限らず、六角筒等の他の形状の筒体であってもよい。柱３が四角筒形状でない場合にも、柱３の内部に設ける補強材３５の各垂直壁は、柱３の各垂直壁の内面に各々当接する形状にする。
一つの梁５のみを柱３に取り付けるものであってもよいし、２つ又は柱３の各面に各々梁５を取り付けるものであってもよい。
梁５は、上下左右壁を有するものであれば、例えば縦断面が略六角形を成すものであってもよく、梁５の断面形状は限定されない。
連結構造体１は、家屋の骨組みやビルの骨組みであってもよい。
ブラケット７に予め固定するナット４７や梁５に予め固定するナット４１に換えて、ブラケット７の上壁１５下面に高力ボルト４５の頭を予め固定しておき、梁５に高力ボルト４５の軸を挿通して、梁５の外側からナット４７を締め付けて固定するものであってもよい。同様に梁５の下壁３１に予め固定するナット５１に換えて高力ボルト４９の頭を固定するものであってもよい。
補強材３５の係止部３７にはナットを係止することに限らず、高力ボルト４１の頭を係止して、梁側から高力ボルト４１の軸にナット４３を取り付けるものであってもよい。
図５に示す第３実施の形態のブラケット本体２１において、柱３の垂直壁３ａに対して梁５を下方に傾斜して取り付ける場合には、上壁１５と下壁１７とは、梁５の傾斜と平行になるように垂直壁１９から下方に向けて傾斜するものであってもよい。
図６に示す第４実施の形態のブラケット本体２１において、柱３の垂直壁３ａに対して梁５を右側に傾斜して取り付ける場合には、上壁１５と下壁１７とは、梁５の傾斜と平行になるように、垂直壁１９から右側に向けて傾斜するものであってもよい。
第３実施の形態の柱３には、図７に示すように、内部に補強材を設けないで、高力ボルト４１とナット４３で柱３にのみ固定するものであってもよい。同様に第４実施の形態の柱においても図７に示す柱３のように、内部に補強材を設けないものであってもよい。
請求項２に記載の発明においては、柱３は筒状に限らず、例えばＨ型鋼であってもよい。
【図面の簡単な説明】
【００２０】
【図１】第１実施の形態にかかる建築構造体の図であり、（ａ）は柱のキャップを除いて示す斜視図であり、（ｂ）は柱のキャップを取り付けた状態において（ａ）のＡ―Ａ位置で切断した断面図である。
【図２】図１（ａ）のＢ―Ｂ断面図である。
【図３】図１（ａ）のＣ―Ｃ断面図である。
【図４】第２実施の形態にかかる建築構造体の図であり、建築構造体を図１（ｂ）と同じ位置で切断した断面図である。
【図５】第３実施の形態にかかる建築構造体の図であり、（ａ）は柱のキャップを外して示す平面図であり、（ｂ）は柱にキャップを取り付けた状態で（ａ）のＥ―Ｅ位置で切断した断面図である。
【図６】第４実施の形態にかかる建築構造体の図であり、（ａ）は柱のキャップを外して示す平面図であり、（ｂ）は柱にキャップを取り付けた状態で（ａ）のＦ―Ｆ位置で切断した断面図である。
【図７】本発明の変形例にかかる建築構造体を図５（ｂ）と同じ位置で切断した断面図である。
【符号の説明】
【００２１】
１      建築構造体
３      柱
３ａ    垂直壁（柱の垂直壁）
５      梁
７      ブラケット
１５    上壁（ブラケットの上壁）
１７    下壁（ブラケットの下壁）
１９    垂直壁（ブラケットの垂直壁）
２１    ブラケット本体
２３    補強側板
２９    上壁（梁の上壁）
３１    下壁（梁の下壁）
３３    左壁（右壁）
３５    補強材
３６ａ  前壁（補強材の垂直壁）
３６ｂ  後壁（補強材の垂直壁）
３６ｃ  左壁（補強材の垂直壁）
３６ｄ  右壁（補強材の垂直壁）
３７    係止部
４１、４５、４９    高力ボルト
４３、４７、５１    ナット
【図１】
2006312836.tif 000003
【図２】
2006312836.tif 000004
【図３】
2006312836.tif 000005
【図４】
2006312836.tif 000006
【図５】
2006312836.tif 000007
【図６】
2006312836.tif 000008
【図７】
2006312836.tif 000009